(57)【要約】【課題】  本発明は、水道供給源からの水を浄化して、この浄化された水に果汁、ビタミン、ミネラル等の添加物を添加して供給するように構成することによって、定期的なタンク交換等の作業がなく、かつ、衛生的な飲物等を供給することができる飲物等の供給装置を得るにある。【解決手段】  水道供給源からの水が供給される給水路と、この給水路に接続された前記水道供給源からの水を浄化する浄水装置と、この浄水装置で浄化された水に液状、粉状等にされた果汁、ビタミン、ミネラル等の添加物を添加する添加物供給装置と、この添加物供給装置で添加物が添加された水が供給される注水路とで飲物等の供給装置を構成している。【選択図】  図１
2005115630.tif 000002
【特許請求の範囲】
【請求項１】
水道供給源からの水が供給される給水路と、この給水路に接続された前記水道供給源からの水を浄化する浄水装置と、この浄水装置で浄化された水に果汁、ビタミン、ミネラル等の添加物を添加する添加物供給装置と、この添加物供給装置で添加物が添加された水が供給される注水路とからなることを特徴とする飲物等の供給装置。
【請求項２】
水道供給源からの水が供給される給水路と、この給水路に接続された前記水道供給源からの水を浄化する浄水装置と、この浄水装置で浄化された水に果汁、ビタミン、ミネラル等の添加物を添加する添加物供給装置と、この添加物供給装置で添加物が添加された水が供給される注水路と、この注水路から供給される前記添加物が添加された水を貨幣、カード等の投入によって販売する自動販売装置とからなることを特徴とする飲物等の供給装置。
【発明の詳細な説明】
【技術分野】
【０００１】
本発明は、果汁、ビタミン、ミネラル等が含有された清涼飲料水等を供給することができる飲物等の供給装置に関する。
【背景技術】
【０００２】
従来、ジュース、コーヒー等の飲物を販売する自動販売装置が用いられているが、かかる装置は、予め浄化された水が貯水された貯水タンクと、この貯水タンクから供給される水にジュース、コーヒー等の素を添加させる添加物供給装置と、この添加物供給装置で添加物が添加された水を貨幣、カード等の投入によって販売する販売装置とで構成されている。
【０００３】
従来の装置では、予め浄化された水が貯水された貯水タンクを用いるため、貯水タンク内の水が無くなると、定期的にタンクを交換しなければならず、面倒であるとともに、長期の使用により、タンク内にカビ等が発生する可能性があるため、衛生的でないという欠点があった。
【発明の開示】
【発明が解決しようとする課題】
【０００４】
本発明は以上のような従来の欠点に鑑み、水道供給源からの水を浄化して、この浄化された水に果汁、ビタミン、ミネラル等の添加物を添加して供給するように構成することによって、定期的なタンク交換等の作業がなく、かつ、衛生的な飲物等を供給することができる飲物等の供給装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、水道供給源からの水が供給される給水路と、この給水路に接続された前記水道供給源からの水を浄化する浄水装置と、この浄水装置で浄化された水に果汁、ビタミン、ミネラル等の添加物を添加する添加物供給装置と、この添加物供給装置で添加物が添加された水が供給される注水路とで飲物等の供給装置を構成している。
【発明の効果】
【０００７】
以上の説明から明らかなように、本発明にあっては次に列挙する効果が得られる。
【０００８】
（１）水道供給源からの水が供給される給水路と、この給水路に接続された前記水道供給源からの水を浄化する浄水装置と、この浄水装置で浄化された水に果汁、ビタミン、ミネラル等の添加物を添加する添加物供給装置と、この添加物供給装置で添加物が添加された水が供給される注水路とで構成されているので、水道供給源からの水を用いて前記添加物が添加された飲物等を供給することができる。
【０００９】
（２）前記（１）によって、従来の装置で行われていた貯水タンクの交換作業を行わなくてもよいので、手軽に用いることができる。
【００１０】
（３）前記（１）によって、水道供給源からの水を浄水装置に供給して用いるので、従来の貯水タンクで問題視されていたカビの発生等の衛生的な問題を根本的に解決することができる。
【００１１】
（４）前記（１）によって、構成が簡単であるので、容易に製造することができる。
【００１２】
（５）請求項２も前記（１）〜（４）と同様の効果が得られるとともに、添加物供給装置で添加物が添加された水を自動販売装置によって販売することができる。
【００１３】
（６）前記（６）によって、従来の装置で行われていた貯水タンクの交換作業を行わなくてもよいので、作業コストを抑止することができる。
【発明を実施するための最良の形態】
【００１４】
以下、図面に示す本発明を実施するための最良の形態により、本発明を詳細に説明する。
【００１５】
図１に示す本発明を実施するための最良の第１の形態において、１は、果汁、ビタミン、ミネラル等の添加物が添加された飲物を供給することができる本発明の飲物等の供給装置で、この飲物等の供給装置１は、水道供給源からの水２が供給される給水路３と、この給水路３に接続された前記水道供給源からの水２を浄化する浄水装置４と、この浄水装置４で浄化された水２Ａに果汁、ビタミン、ミネラル等の添加物５を添加する添加物供給装置６と、この添加物供給装置６で添加物５が添加された水７が供給される注水路８と、この注水路８から供給される前記添加物５が添加された水７を貨幣、カード等の投入によって販売する自動販売装置９とで構成されている。
【００１６】
前記給水路３は、水道供給源からの水２が供給されることができるように水道配管に分岐具１０を介装させて、この分岐具１０に上流側の端部が接続されるように構成され、下流側がケース体１１内に配設されるように構成されている。
【００１７】
前記浄水装置４は、前記給水路３に供給された水２が取り入れられる取水口１２が形成され、下流部に出水口１３が形成された、内部に活性炭フィルター、セラミックフィルター、逆浸透膜フィルター等の浄化手段１４が備えられたもので構成されている。
【００１８】
前記添加物供給装置６は、前記浄水装置４の下流部に配設された、液状、粉末状等にされた果汁、ビタミン、ミネラル等の添加物５が収納される収納タンク１５と、この収納タンク１５から前記添加物５を前記浄水装置４で浄化された水２Ａに添加する添加手段１６とで構成されている。
【００１９】
前記添加手段１６は、添加物５が濃縮レモン水、ビタミン含有水、ミネラル含有水、サプリメントウォータ等の液状の場合には電磁弁等で構成され、制御装置１７によって添加量を制御するように構成されている。添加物５が粉末状のビタミン、ミネラル等の場合には掻き出し装置等で構成され、前記制御装置１７によって添加量を制御するように構成されている。
【００２０】
前記注水路８は、最下流部に注水ノズル１８が形成され、この注水ノズル１８から前記添加物供給装置６で添加物５が添加された水７が供給されるように構成されている。なお、前記注水ノズル１８の上流部には、供給ポンプ、電磁弁等からなる供給調節機構１９が介装されている。
【００２１】
前記自動販売装置９は、従来から採用されている貨幣販売式のものやカード販売式等のもので構成され、貨幣の投入、カードの投入等の後、供給スタートボタン２０を押すことによって、カップ等の容器２１がケース体１１の所定箇所にセッティングされ、制御装置１７で前記供給調節機構１９を制御して添加物５が添加された所定量の水７が前記注水ノズル１８より供給されるように構成されている。
【００２２】
上記構成の飲物等の供給装置１は、添加物５が添加された水７を購入したい人が、自動販売装置９に貨幣の投入、カードの投入等を行い、供給スタートボタン２０を押すことによって、注水ノズル１８より当該水７の供給を受ける。
【００２３】
前記水７は、水道供給源からの水２が浄水装置４で浄化された後に、浄化された水２Ａに添加物供給装置６によって添加物５が添加されることで得られる。
【００２４】
また、前記添加物５が添加された水７は、水道供給源からの水２が用いられ、従来のような貯水タンクによらないため、貯水タンク内にカビ等が発生して不衛生になるという不具合を回避することができるとともに、従来の装置において行われていた貯水タンクの交換作業がないので、メンテナンス等の作業コストの低減化を図ることができる。
【００２５】
なお、前記添加物５が添加された水７の提供にあたっては、注水路８内等の衛生面を考慮し、容器２１がケース体１１の所定箇所にセッティングされる前に、所定量の水２Ａを注水ノズル１８より排水するように構成してもよい。
【００２６】
さらに、前記浄水装置４や注水路８等においては、紫外線殺菌装置を用いて構成してもよい。
【００２７】
また、前記添加物５が添加された水７は飲物としてだけなく、添加物５が例えばミネラル含有物等の場合には、飲料用としてだけでなく調理用水として提供することができる。
{発明を実施するための異なる形態}
【００２８】
次に、図２ないし図６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２９】
図２に示す本発明を実施するための第２の形態において、前記本発明を実施するための最良の第１の形態と主に異なる点は、浄水装置４で浄化された水２Ａを三方切替弁２２を介して一方を前記添加物供給装置６側に供給し、他方を注水ノズル１８Ａに供給できるように注水路８Ａを構成した点で、このような注水路８Ａを構成した飲物等の供給装置１Ａにしても前記本発明を実施するための最良の第１の形態と同様の作用効果が得られるとともに、浄水装置４で浄化された飲物となる水２Ａと当該水２Ａに添加物５が添加された水７とを選択的に供給することができる。
【００３０】
なお、前記三方切替弁２２の切替えは、自動販売装置９Ａの水２Ａ、７の選択スイッチ２３、２３Ａによって行うことができるように構成されている。
【００３１】
図３に示す本発明を実施するための第３の形態において、前記本発明を実施するための最良の第１の形態と主に異なる点は、浄水装置４で浄化された水２Ａに複数種類の添加物５、５Ａ、５Ｂが選択的に添加できるように添加物供給装置６Ａを構成した点で、このような添加物供給装置６Ａを用いた飲物等の供給装置１Ｂにしても前記本発明を実施するための最良の第１の形態と同様の作用効果が得られるとともに、複数種類の添加物５、５Ａ、５Ｂが添加された水７、７Ａ、７Ｂを選択的に楽しむことができる。
【００３２】
図４に示す本発明を実施するための第４の形態において、前記本発明を実施するための第２の形態と主に異なる点は、添加物供給装置６で添加物５が添加された水７を温かい状態で供給できるように注水路８Ａに温度調節装置２４を介装させた点で、このような温度調節装置２４を構成した飲物等の供給装置１Ｃにしても前記本発明を実施するための第２の形態と同様の作用効果が得られるとともに、添加物５がお茶、コーヒー等の素の場合には、温かい状態で嗜むことができる。
【００３３】
なお、前記温度調節装置２４は、前記自動販売装置９Ａの制御装置１７によって制御されるように構成されている。
【００３４】
図５に示す本発明を実施するための第４の形態において、前記本発明を実施するための最良の第１の形態と主に異なる点は、自動販売装置９を用いずに家庭用として用いることができようにケース体１１Ａに浄水装置４、添加物供給装置６を構成した点で、このように構成された飲物等の供給装置１Ｄにしても、前記本発明を実施するための最良の第１の形態と同様の作用効果が得られるとともに、家庭で添加物５が添加された水７を嗜むことができる。
【００３５】
なお、前記飲物等の供給装置１Ｄは、供給スタートボタン２０を押すことによって、前記添加物供給装置６および前記供給調節機構１９が制御装置２５によって制御され、所定量の水７が前記注水ノズル１８より供給できるように構成されている。
【００３６】
図６に示す本発明を実施するための第６の形態において、前記本発明を実施するための第５の形態と主に異なる点は、浄水装置４で浄化された水２Ａを三方切替弁２２を介して、一方を前記添加物供給装置６側に供給して注水ノズル１８に供給し、他方を同じく注水ノズル１８に供給できるように注水路８Ｂを構成した点で、このような注水路８Ｂを構成した飲物等の供給装置１Ｅにしても前記本発明を実施するための第２の形態と同様の作用効果が得られる。
【００３７】
なお、前記本発明を実施する各形態において、添加物５が添加された水７の素となる水道供給源は、上水道のみならず、例えば、井戸水等を用いるように構成してもよい。
【産業上の利用可能性】
【００３８】
本発明は飲物等の供給装置を生産する産業で利用される。
【図面の簡単な説明】
【００３９】
【図１】本発明を実施するための最良の第１の形態の概略説明図。
【図２】本発明を実施するための第２の形態の概略説明図。
【図３】本発明を実施するための第３の形態の概略説明図。
【図４】本発明を実施するための第４の形態の概略説明図。
【図５】本発明を実施するための第５の形態の概略説明図。
【図６】本発明を実施するための第６の形態の概略説明図。
【符号の説明】
【００４０】
１、１Ａ〜１Ｅ：飲物等の供給装置、
２、２Ａ：水、              ３：給水路、
４：浄水装置、              ５、５Ａ、５Ｂ：添加物、
６、６Ａ：添加物供給装置、  ７、７Ａ、７Ｂ：水、
８、８Ａ、８Ｂ：注水路、    ９、９Ａ：自動販売装置、  
１０：分岐具、              １１、１１Ａ：ケース体、
１２：取水口、              １３：出水口、
１４：浄化手段、            １５：収納タンク、  
１６：添加手段、            １７：制御装置、  
１８、１８Ａ：注水ノズル、  １９：供給調節機構、
２０：供給スタートボタン、  ２１：容器、
２２：三方切替弁、          ２３、２３Ａ：選択スイッチ、
２４：温度調節装置、        ２５：制御装置。
【図１】
2005115630.tif 000003
【図２】
2005115630.tif 000004
【図３】
2005115630.tif 000005
【図４】
2005115630.tif 000006
【図５】
2005115630.tif 000007
【図６】
2005115630.tif 000008